(57)【要約】【課題】導光板等に光を照射するのに好適であり、薄型で放熱性の良い光照射装置、バックライト装置及び表示装置を提供する。【解決手段】基板３２が矩形状をなし、基板３２の一端面３２ａに複数の発光素子４，４・・・が配してあり、透光性の封止材５を一端面３２ａに固着させ、複数の発光素子４，４・・・を封止する。光照射装置３の厚みは薄く、発光素子４，４・・・で発生した熱を基板３２へ伝導させて放熱させる。基板３２の厚みを薄くしても、基板３２の一端面３２ａに交差する方向へ基板３２の寸法を大きくすれば、基板３２の放熱性を維持又は向上すすることができる。【選択図】図４
2014049418.tif 000002
【特許請求の範囲】
【請求項１】
光を照射する光照射装置において、
矩形状をなす基板と、
該基板の一端面に配してある複数の発光素子と、
前記一端面に固着してあり、該複数の発光素子を封止する透光性の封止材と
を備えることを特徴とする光照射装置。
【請求項２】
前記複数の発光素子に通電する接続線が前記封止材によって封止してあることを特徴とする請求項１に記載の光照射装置。
【請求項３】
前記基板の一面に貼り合わせてあり、前記一端面から張り出す補強板を備え、
前記封止材は、前記補強板の前記一端面から張り出した部分に固着していることを特徴とする請求項１又は請求項２に記載の光照射装置。
【請求項４】
前記補強板は、前記一端面から張り出した部分に光反射層を設けてあることを特徴する請求項３に記載の光照射装置。
【請求項５】
前記補強板は、前記基板の他端面側で屈曲していることを特徴とする請求項３又は請求項４に記載の光照射装置。
【請求項６】
前記基板の他面に貼り合わせてあり、前記一端面から張り出す板部材を備え、
前記封止材は、前記板部材の前記一端面から張り出した部分に固着していることを特徴とする請求項３から請求項５のいずれか１つに記載の光照射装置。
【請求項７】
前記基板は、前記一端面の両端部に該一端面から突出する凸部を備え、
該凸部の中途部まで前記封止材が配されていることを特徴とする請求項１から請求項６のいずれか１つに記載の光照射装置。
【請求項８】
前記基板は、前記一端面に前記複数の発光素子への接続端子が設けてあることを特徴とする請求項１から請求項７のいずれか１つに記載の光照射装置。
【請求項９】
前記基板はアルミニウム又はアルミニウム合金を用いてなることを特徴とする請求項１から請求項８のいずれか１つに記載の光照射装置。
【請求項１０】
前記補強板はステンレス鋼を用いてなることを特徴とする請求項３から請求項６のいずれか１つに記載の光照射装置。
【請求項１１】
請求項１から請求項１０のいずれか１つに記載の光照射装置と、
矩形状をなし、前記光照射装置の前記一端面に一端面が対向し、該一端面から入射した光を一主面から出射する導光板と
を備えることを特徴とするバックライト装置。
【請求項１２】
請求項１１に記載のバックライト装置と、
画像を表示する表示パネルと
を備え、
該表示パネルの画像を表示する面の反対面に前記導光板の前記一主面を対向させて配してあることを特徴とする表示装置。
【発明の詳細な説明】
【技術分野】
【０００１】
本発明はエッジライト方式の導光板端面等に入射させる光を照射する光照射装置、バックライト装置及び表示装置に関する。
【背景技術】
【０００２】
液晶等による表示パネルを用いた表示装置は、ＬＥＤ（Light Emitting Diode）等を光源としたバックライト装置を使用し、表示パネルの背面側から光を入射させて画面上に文字、画像、映像等を表示する。例えば、携帯電話、携帯端末等に用いる中小型の液晶表示用のバックライト装置は、薄型化を実現するために、導光板の端面に光を入射させることにより導光板の板面から光を出射するエッジライト方式を用いることが多い。
【０００３】
特許文献１には、エッジライト方式によるバックライト装置を用いた表示装置が開示されている。この表示装置は、誘導灯の図柄が印刷された表示素子（表示パネルに相当）と、該表示素子の裏面に光を照射する導光板と、該導光板に入射する光を発する光源と、該光源を保持する光源ホルダとを備える。導光板は薄い矩形状をなし、主面に略直交する側面に光入射面が形成されている。導光板は、光入射面側の所定範囲で光入射面側に厚みが増加するテーパ状の光案内部を有する。
【０００４】
光源にはトップビュー型の複数のＬＥＤが用いられており、該複数のＬＥＤを短冊状のＬＥＤ実装基板の面上に配置し、ＬＥＤ実装基板面が導光板の光入射面に対向するように配置する。光源ホルダは、Ｌ字状をなし、導光板に沿う底部と、該底部に略直交し、前記ＬＥＤ実装基板が取り付けられた側部とを有する。ＬＥＤ実装基板の面上に配置されたトップビュー型のＬＥＤは、ＬＥＤ実装基板の面法線方向を主方向として光を発し、導光板の光入射面から光案内部に光が入射される。光案内部は、光入射面側から導光板の中央側に向けて厚みが減少するテーパ状であるため、光入射面から入射した光は、テーパ状の傾斜面で反射しながら、導光板の中央側へ導かれ、導光板の主面から出射される。このように特許文献１の表示装置は、導光板がテーパ状の光案内部を有することによって、より多くの光を光入射面から入射させるため、導光板の薄型化、更には表示装置の薄型化を図ることができるとするものである。
【０００５】
一般に、特許文献１に開示されるような導光板は、射出成型により製作されている。携帯電話用及び携帯端末用の中小型サイズの導光板は、より薄型にすることが要求されているものの、射出成型においては、薄型化にはパネルサイズの制約がある。現状では、数インチから１０インチサイズ程度の導光板で、その厚みが約１．０ｍｍ程度のものが主流となっているが、厚みが０．３ｍｍ程度の更に薄い導光板の実用化が期待されている。
【先行技術文献】
【特許文献】
【０００６】
【特許文献１】特開２００９−１９９８７１号公報
【発明の概要】
【発明が解決しようとする課題】
【０００７】
しかしながら、特許文献１に記載の表示装置では、光源にトップビュー型のＬＥＤが用いられており、ＬＥＤのパッケージ外形寸法が納まるだけの空間が必要になり、光源部分の厚みが増してしまうという問題点があった。上述のように改良された導光板によって導光板部分が薄くなったとしても、表示パネルの背面側に光源部分の厚みが必要になってしまう。これを回避すべく光源部分を表示パネルの側方に設けることも考え得るが、表示パネルの縁部分が大きくなってしまう。
【０００８】
サイドビュー型のＬＥＤを用いることで、トップビュー型のＬＥＤを用いる場合に比べて光源部分を少しでも薄型化することはできるが、トップビュー型のＬＥＤの場合と同様にＬＥＤのパッケージ外径寸法が納まるだけの空間は必要となる。また、サイドビュー型のＬＥＤでは、トップビュー型に比べ放熱性が悪く、寿命が短いため、大電流化には向いていない。このため、大電流化による高輝度化や、大電流化によりＬＥＤ数を減らして低コスト化を図ることが難しいという問題点もある。
【０００９】
本発明は斯かる事情に鑑みてなされたものであり、導光板等に光を照射するのに好適であり、薄型で放熱性の良い光照射装置、その光照射装置を備えたバックライト装置及び表示装置を提供することを目的とする。
【課題を解決するための手段】
【００１０】
本発明に係る光照射装置は、矩形状をなす基板と、該基板の一端面に配してある複数の発光素子と、前記一端面に固着してあり、該複数の発光素子を封止する透光性の封止材とを備えることを特徴とする。
【００１１】
本発明にあっては、矩形状をなす基板の一端面に複数の発光素子が配してあり、透光性の封止材を前記一端面に固着させ、複数の発光素子を封止する。これにより、光照射装置の厚みを薄くすることができ、発光素子で発生した熱を基板へ伝導させて放熱することができる。
【００１２】
本発明に係る光照射装置は、前記複数の発光素子に通電する接続線が前記封止材によって封止してあることを特徴とする。
【００１３】
本発明にあっては、封止材により、発光素子に通電する接続線を封止してあるので、発光素子及び接続線が保護される。
【００１４】
本発明に係る光照射装置は、前記基板の一面に貼り合わせてあり、前記一端面から張り出す補強板を備え、前記封止材は、前記補強板の前記一端面から張り出した部分に固着していることを特徴とする。
【００１５】
本発明にあっては、基板の一面に補強板が貼り合せてあり、該補強板は前記一端面から張り出す。封止材は前記補強板の前記一端面から張り出した部分に固着している。補強板によって基板の強度を高めることができるとともに、封止材を確実に保持できる。
【００１６】
本発明に係る光照射装置は、前記補強板は前記一端面から張り出した部分に光反射層を設けてあることを特徴とする。
【００１７】
本発明にあっては、補強板の前記一端面から張り出した部分に光反射層が設けてあるので、発光素子が発した光を光反射層で反射させて多くの光を照射することができる。
【００１８】
本発明に係る光照射装置は、前記補強板は、前記基板の他端面側で屈曲していることを特徴とする。
【００１９】
本発明にあっては、補強板が基板の他端面側で屈曲しているので、更に基板の強度を高めることができる。
【００２０】
本発明に係る光照射装置は、前記基板の他面に貼り合わせてあり、前記一端面から張り出す板部材を備え、前記封止材は、前記板部材の前記一端面から張り出した部分に固着していることを特徴とする。
【００２１】
本発明にあっては、基板の他面に板部材が貼り合せてあり、該板部材は前記一端面から張り出す。封止材は前記板部材の前記一端面から張り出した部分に固着しており、封止材を確実に保持できる。
【００２２】
本発明に係る光照射装置は、前記基板は、前記一端面の両端部に該一端面から突出する凸部を備え、該凸部の中途部まで前記封止材が配されていることを特徴とする。
【００２３】
本発明にあっては、前記一端面の両端部に該一端面から突出する凸部の中途部まで封止材が配されている。これにより、対向して配置される導光板等の端面は凸部に当たるため、導光板等の端面が直接的に封止材に当たって発光素子や接続線に応力がかかることを防ぐことができる。
【００２４】
本発明に係る光照射装置は、前記基板は、前記一端面に前記複数の発光素子への接続端子が設けてあることを特徴とする。
【００２５】
本発明にあっては、前記一端面に設けてある接続端子と発光素子とを接続することで、複数の発光素子を発光させることができる。
【００２６】
本発明に係る光照射装置は、前記基板はアルミニウム又はアルミニウム合金を用いてなることを特徴とする。
【００２７】
本発明にあっては、基板がアルミニウム又はアルミニウム合金を用いてなるので、熱伝導性がよく、放熱性が良好となる。
【００２８】
本発明に係る光照射装置は、前記補強板はステンレス鋼を用いてなることを特徴とする。
【００２９】
本発明にあっては、補強板はステンレス鋼を用いてなるので、放熱性を維持しつつ、厚みを抑えて強度を高めることができる。
【００３０】
本発明に係るバックライト装置は、上述のいずれか１つに記載の光照射装置と、矩形状をなし、前記光照射装置の前記一端面に一端面が対向し、該一端面から入射した光を一主面から出射する導光板とを備えることを特徴とする。
【００３１】
本発明にあっては、上述のいずれか１つに記載の光照射装置から照射される光が導光板の一端面に入射し、入射した光によって、導光板の一主面から光を出射する。
【００３２】
本発明に係る表示装置は、上述のバックライト装置と、画像を表示する表示パネルとを備え、該表示パネルの画像を表示する面の反対面に前記導光板の前記一主面を対向させて配してあることを特徴とする。
【００３３】
本発明にあっては、上述のバックライト装置における導光板の一主面から照射される光が、該一主面に対向する表示パネルに入射し、表示パネルにより画像を表示する。
【発明の効果】
【００３４】
本発明によれば、矩形状をなす基板の一端面に複数の発光素子が配してあり、透光性の封止材を前記一端面に固着させ、複数の発光素子を封止する。このため、光照射装置の厚みを薄くすることができ、発光素子で発生した熱を基板へ伝導させて放熱することができる。
【図面の簡単な説明】
【００３５】
【図１】実施の形態に係る表示装置の斜視図である。
【図２】表示装置の縦断側面図である。
【図３】光照射装置の斜視図である。
【図４】光照射装置の分解斜視図である。
【図５】光照射装置の正面図である。
【図６】図５に示す断面Ａ−Ａで切断した光照射装置の断面図である。
【図７】図５に示す断面Ｂ−Ｂで切断した断面図である。
【図８】基板に用いる配線用の絶縁体シートの斜視図である。
【図９】一変形例に係る光照射装置を並設する場合の構成を説明するための模式図である。
【図１０】他の変形例に係る光照射装置の構成を示す模式図である。
【図１１】他の変形例に係る光照射装置の構成を示す模式図である。
【図１２】他の変形例に係る光照射装置の構成を示す模式図である。
【図１３】他の変形例に係る光照射装置の構成を示す模式図である。
【発明を実施するための形態】
【００３６】
以下、本発明をその実施の形態を示す図面に基づき具体的に説明する。なお、本実施の形態では表示装置が液晶表示装置である例について説明するが、本発明の技術は、表示面に画像等を表示する機能を有する装置、更にはタッチパネルを備えて入力操作ができる装置等に適用できるものである。
【００３７】
図１は実施の形態に係る表示装置１の斜視図であり、図２は表示装置１の縦断側面図である。表示装置１は、画像を表示する表示面２０ａを有する液晶表示パネル２０と、液晶表示パネル２０の背面に配してあるバックライト装置２１と、液晶表示パネル２０の表示面２０ａの周縁部及び側面を覆う枠体１１と、バックライト装置２１の背面側及び側面を覆う筐体１２とから構成されている。バックライト装置２１は、導光板６と、液晶表示パネル２０と導光板６との間に配されているプリズムシート７２及び拡散シート７３と、導光板６の側方に配してある光照射装置３とを備える。
【００３８】
液晶表示パネル２０は略直方体をなし、該液晶表示パネル２０の液晶素子に表示信号を与える液晶表示回路（図示略）に接続されている。導光板６は、透光性の部材を用いて略均一な厚みで矩形状に形成された薄い板又はシートである。導光板６は、例えばポリカーボネートや、ＰＭＭＡ（ポリメタクリル酸メチル樹脂）などのアクリル樹脂等を材料とするものが一般的であるが、これに限定するものではない。また、導光板６は従来技術に示した光案内部が端部に設けられたものであってもよい。導光板６は、一端面が後述する光照射装置３に対向して配置してあり、該一端面から入射し、中央へと導かれた光が一主面から出射し、該一主面が液晶表示パネル２０の背面に対向して配置されている。導光板６の前記一主面と反対側の他主面には、熱転写等の成形加工により多数の凹凸パターンを設け、板内部を進行する光が前記一主面側へ反射するようにしてある。導光板６の液晶表示パネル２０と反対側には、導光板６へ光を反射する反射シート７１が配してある。
【００３９】
液晶表示パネル２０と導光板６との間には、プリズムシート７２及び拡散シート７３が導光板６の前記主面（発光面）を覆うように配置されている。プリズムシート７２は導光板６の発光面から出射された光の液晶表示パネル２０方向への集光性を高める。拡散シート７３はプリズムシート７２から出射された光の輝度むらを低減すべく入射光を拡散させて液晶表示パネル２０の背面へ出射する。
【００４０】
光照射装置３は、矩形状をなし、光を発する複数の発光素子４を有している。
【００４１】
筐体１２は、矩形状の底板と、該底板の四辺から液晶表示パネル２０側へ立ち上がる側板とを備え、液晶表示パネル２０側が開口した箱状をなす。枠体１１は、液晶表示パネル２０の表示面２０ａ側の周縁部を覆う矩形額縁状のフレームと、該フレームの外周をなす四辺から液晶表示パネル２０側へ立ち上がる側板とを備える。筐体１２内に、反射シート７１、導光板６、プリズムシート７２及び拡散シート７３を重ね、導光板６の側方に光照射装置３を配置する。さらに液晶表示パネル２０を拡散シート７３上に重ね、枠体１１を液晶表示パネル２０の表示面２０ａ側に被せて、枠体１１の側板の端部を筐体１２の側板の端部に嵌め込んで固定することにより、表示装置１が組み立てられる。導光板６及び光照射装置３は、枠体１１及び筐体１２に収容された状態で、エッジライト方式のバックライト装置を構成する。なお、内部に収容する各部品が動かないように適宜スペーサ１３を用いる。
【００４２】
つぎに光照射装置３の詳細な構成について説明する。図３は光照射装置３の斜視図であり、図４は光照射装置３の分解斜視図であり、図５は光照射装置３の正面図であり、図６は図５に示す断面Ａ−Ａで切断した光照射装置３の断面図であり、図７は図５に示す断面Ｂ−Ｂで切断した断面図である。光照射装置３は、複数の発光素子４を配してある基板３２と、基板３２を補強するための補強板３１及び板部材３３とを備える。
【００４３】
基板３２は矩形状をなし、一端面３２ａの長手方向の一端部から他端部に亘って複数の発光素子４，４・・・を並べて配置してあり、該一端部及び他端部には、一端面３２ａから突出する凸部３２ｃ，３２ｃが形成してある。発光素子４，４・・・夫々はＬＥＤチップ単体であり、パッケージ化されたＬＥＤに比べて小さく、薄い基板の端面にも配置可能である。また、発光素子４，４・・・夫々は、絶縁体上にダイオードを設けた構成としてある。一端面３２ａの前記一端部及び他端部夫々から主面３２ｂの両端部の夫々にかけて発光素子４，４・・・への接続線４２，４３が設けてある。図中、ハッチングで示す部分は絶縁被覆されている。接続線４２の両端は絶縁被覆されておらず、接続端子４２ａ、４２ｂが露出している。同様に、接続線４３の両端は絶縁被覆されておらず、接続端子４３ａ、４３ｂが露出している。接続端子４２ｂ及び４３ｂには、銀メッキが施されている。また、基板３２の一端面３２ａ側と逆側の端面に沿って、主面３２ｂ上に絶縁被覆された接続線４４が設けてあり、接続線４４の両端は絶縁被覆されていない接続端子４４ａ及び４４ｂが露出している。なお、基板３２が長方形であれば、一端面３２ａは短手方向の一端面とし、長手方向に沿って該一端面に発光素子４，４・・・を配置すればよい。
【００４４】
基板３２の材質としては、アルミニウム又はアルミニウム合金等の熱伝導性が良好な金属材料を用いると良い。このような材質でなる基板３２は発光素子４，４・・・で発生する熱の排熱に好適である。基板３２の厚みは、例えば０．３ｍｍ程度から１．０ｍｍ程度とすれば、光照射装置３の薄型化に寄与し好適である。なお、基板３２の厚みに対して、基板３２の主面３２ｂの寸法は、例えば１０ｍｍ×１６０ｍｍのように十分に大きくなるように構成されている。尚、発光素子４，４・・・は、夫々が有する絶縁体によって基板３２から絶縁されている。また、発光素子４，４・・・の放熱性が確保されるのであれば、基板３２はガラスエポキシ基板としてもよい。
【００４５】
図８は基板３２に用いる配線用の絶縁体シート８の斜視図である。矩形状の絶縁体シート８上には、上述の接続線４２，４３，４４が設けてあり、該絶縁体シート８を基板３２の主面３２ｂに接着固定してある。また、絶縁体シート８の一端から延在する取付片８ａ，８ａは主面３２ｂの反対側の主面へ巻き掛け固定されている。絶縁体シート８を用いることによって、接続線４２，４３，４４等を基板３２に容易に設けることができる。また、図８に示す絶縁体シート８では、一端面３２ａの両端部に端子４２ｂ，４３ｂが設けてある構成としているが、一端面３２ａの長手方向の中途部に１又は複数個の接続端子を設けるようにしても良い。なお、絶縁体シート８を用いない場合には、基板３２の放熱性を十分確保しつつ、接続端子４２，４３，４４等を設ける箇所に、部分的にガラスコーティングを施すなどして絶縁性を持たせるようにするとよい。
【００４６】
発光素子４，４・・・は、該発光素子４，４・・・に通電する電気的接続線であるワイヤ４１，４１・・・により直列に接続されており、両端に配置されている発光素子４，４は接続端子４２ｂ，４３ｂにワイヤ４１，４１で接続されている。一端面３２ａには、発光素子４，４・・・及びワイヤ４１，４１・・・を封止する透光性の封止材５が該一端面３２ａに固着して、凸部３２ｃ，３２ｃ間に充填されている。封止材５は、凸部３２ｃ，３２ｃの基端部（即ち一端面３２ａ）から、凸部３２ｃ，３２ｃの先端より少し下がった位置まで充填されている。換言すれば封止材５は、凸部３２ｃ，３２ｃの中途部まで充填してある。尚、発光素子４，４・・・の間に接続端子を設け、該接続端子を介して発光素子４，４・・・間をワイヤ４１，４１・・・で接続するようにしてもよい。
【００４７】
封止材５と導光板６の端面６ａとの間には、蛍光体シート５１を配してある（図７参照）。蛍光体シート５１により、発光素子４，４・・・が発した光を、所望の色の光、例えば白色光に波長変換する。また、封止材５に蛍光体を含有させることにより、蛍光体シート５１を設けない構成にしてもよい。尚、発光素子４，４・・・の表面が蛍光体を含む構成となっており、発光素子４，４・・・が所望の波長の光を発するものであれば、封止材５は蛍光体を含有しないものでも良く、蛍光体シート５１も不要となる。
【００４８】
補強板３１は、矩形状の底板３１ｂの端部を基板３２側へ屈曲させて側板３１ｃを形成してあり、断面はＬ字状をなす。側板３１ｃは、基板３２側と反対側に屈曲していても良い。ただし、図示のように、側板３１ｃを基板３２側に屈曲させていることにより、側板３１ｃに基板３２及び放熱板３３の端部を当接させて組立を行えるので製造性が良い。基板３２の一端面３２ａ側に対応する補強板３１の一端は、基板３２の一端面３２ａから張り出しており、更に基板３２の凸部３２ｃ，３２ｃの先端面よりも張り出している。
【００４９】
また、補強板３１の主面３１ｂにおける一端面３１ａ側の周縁には光反射層３１ｄが設けてある。光反射層３１ｄの長手方向の寸法は、基板３２の凸部３２ｃ，３２ｃ間の幅と同等かそれ以上であり、短手方向の寸法は、補強板３１の一端面３１ａと基板３２の一端面３２ａとの間の距離とほぼ同等かそれ以上となっている。光反射層３１ｄは、白レジスト印刷、銀メッキ、研磨等により形成される。また、補強板３１の材質は、強度・剛性に優れたステンレス鋼等の金属材料を用いると良い。本発明では、光照射装置３が薄型化するために補強板自体も厚みを例えば０．２ｍｍ程度とするのが好適であり、補強板３１には、強度・剛性に優れた材料を用いるのが好適である。
【００５０】
板部材３３は、矩形状をなし、接続端子４２ａ，４３ａ，４４ａ，４４ｂが表出するように対応する両端部の一部分を切り欠いてある。基板３２の一端面３２ａ側に対応する板部材３３の一端は、基板３２の一端面３２ａから張り出しており、更に基板３２の凸部３２ｃ，３２ｃの先端面よりも張り出している。また、基板３２を臨む板部材３３の主面における板部材３３の一端面３３ａ側の周縁には、光反射層３３ｄが設けてある。光反射層３３ｄの長手方向の寸法は、基板３２の凸部３２ｃ，３２ｃ間の幅とほぼ同等かそれ以上、短手方向の寸法は、板部材３３の一端面３３ａと基板３２の一端面３２ａとの間の距離とほぼ同等かそれ以上となっている。
【００５１】
また、板部材３３の材質としては、アルミニウム又はアルミニウム合金等の熱伝導性が良好な金属材料を用いると良く、基板３２で発生した熱の熱伝導経路として好適である。また、板部材３３の厚みは、例えば０．１ｍｍ程度とすれば、光照射装置３の薄型化に寄与し好適である。
【００５２】
基板３２、補強板３１及び板部材３３は、主面同士を接着剤等で張り合わせることによって一体化する。用いる接着剤は熱伝導性の良いものが望ましい。基板３２、補強板３１及び板部材３３を一体化させてから、封止材５を一端面３２ａに充填しても良く、このようにすると、一端面３２ａだけでなく、一端面３２ａから張り出した補強板３１及び板部材３３の張り出し部分に封止材５が固着し、封止材５の固着の強度が高まる。なお、光照射装置３を貫通する２つの貫通孔３ａ，３ｂが設けてあり、貫通孔３ａ，３ｂにより、基板３２、補強板３１及び板部材３３の位置合わせが確実に行える。また、光照射装置３を筐体１２に取り付ける際に螺子等の締結具の通し孔として利用できる。
【００５３】
次に光照射装置３及び表示装置１の動作について説明する。光照射装置３の接続端子４２及び４３をスイッチ素子、平滑回路等を介して電源に接続する（図示略）。スイッチ素子をオンすることにより、光照射装置３の発光素子４，４・・・を点灯する。発光素子４，４・・・が発した光は、透光性のある封止材５を通過して一端面３２ａの法線方向（導光板６側）へ出射されるが、一部は補強板３１の反射面３１ｄ及び板部材３３の反射面３３ｄで反射して、一端面３２ａの前記法線方向へ出射される。
【００５４】
光照射装置３は、一端面３２ａに対向する導光板６の一端面６ａに光を照射する。導光板６の一端面６ａから入射し、中央へと導かれた光によって、導光板６の主面から光が出射される。導光板６の前記主面と反対の面（筐体１２底板側の面）から出射する光は反射パネル７１によって反射されて前記主面から出射される。
【００５５】
導光板６の前記主面から出射された光は、プリズムシート７２により液晶表示パネル２０方向への集光性が高められ、さらに拡散シート７３によって光の輝度むらが低減されて、液晶表示パネル２０の背面へ入射する。液晶表示パネル２０は液晶表示回路から与えられる表示信号により液晶素子が制御され、液晶表示パネル２０の背面に入射した光を液晶素子により偏向するなどして画像を形成し表示面２０ａに表示する。
【００５６】
以上のように、本実施形態によれば、基板３２が矩形状をなし、基板３２の一端面３２ａに複数の発光素子４，４・・・が配してあり、透光性の封止材５を一端面３２ａに固着させ、複数の発光素子４，４・・・を封止する。これにより、光照射装置３の厚みを薄くすることができ、発光素子４，４・・・で発生した熱を基板３２へ伝導させて放熱することができる。基板３２の厚みを薄くしても、基板３２の一端面３２ａに交差する方向へ基板３２の寸法を大きくすれば、基板３２の放熱性を維持・向上することができる。
【００５７】
また、本実施形態によれば、封止材５により、発光素子４，４・・・に通電するワイヤ４１，４１・・・を封止してあるので、発光素子４，４・・・及びワイヤ４１，４１・・・が保護される。
【００５８】
また、本実施形態によれば、基板３２の一面に補強板３１が貼り合せてあり、補強板３１は基板３２の一端面３２ａから張り出す。封止材５は補強板３１の一端面３２ａから張り出した部分に固着している。補強板３１によって光照射装置３の強度を高めることができるとともに、封止材５を確実に保持できる。
【００５９】
また、本実施形態によれば、補強板３１の一端面３２ａから張り出した部分に光反射層３１ｄが設けてあるので、発光素子４，４・・・が発した光を光反射層３１ｄで反射させて多くの光を照射することができる。また、板部材３３の光反射層３３ｄでも発光素子４，４・・・が発した光を反射させることで多くの光を照射することができる。
【００６０】
また、本実施形態によれば、補強板３１が基板３２の他端面側で屈曲した側板３１ｃを有するので、光照射装置３の強度を高めることができる。
【００６１】
また、本実施形態によれば、基板３２に板部材３３が貼り合せてあり、板部材３３は基板３２の一端面３２ａから張り出す。封止材５は板部材３３の一端面３２ａから張り出した部分に固着している。放熱板３３によって放熱性が良好となるとともに、封止材５を確実に保持できる。
【００６２】
また、本実施形態によれば、基板３２の一端面３２ａの両端部に一端面３２ａから突出する凸部３２ｃ，３２ｃを備える。封止材５は凸部３２ｃ，３２ｃの中途部まで充填されている。これにより、対向して配置される導光板６等の端面は凸部３２ｃ，３２ｃに当たるため、封止材５に直接的に導光板６等の端面が当たって発光素子４，４・・・やワイヤ４１，４１・・・に応力がかかることを防ぐことができる。また、補強板３１及び板部材３３が、基板３２の凸部３２ｃ，３２ｃから更に張り出していることにより、張り出した部分で、導光板６等の端部を補強板３１及び板部材３３で挟み込むように組み立てることができるので、導光板６等の端部と光照射装置３との位置決めが容易になる。
【００６３】
また、本実施形態によれば、基板３２の一端面３２ａに設けてある接続端子４２，４３に通電することで、複数の発光素子４，４・・・を発光させることができる。
【００６４】
また、本実施形態によれば、基板３２がアルミニウム又はアルミニウム合金を用いてなるので、熱伝導性がよく、放熱性が良好となる。また、補強板３１はステンレス鋼を用いてなるので、光照射装置３の強度を高めることができる。
【００６５】
（変形例）
以下、種々の変形例について説明する。
【００６６】
図９は一変形例に係る光照射装置３を並設する場合の構成を説明するための模式図である。２つの光照射装置３を並べて配置し、リード線９の電線９ａを一方の光照射装置３の接続端子４２ａに接続し、電線９ｂを該一方の光照射装置３の接続端子４４ａに接続する。一方の光照射装置３の接続端子４３ａと他方の光照射装置３の接続端子４２ａをショートピン９１ａで接続し、一方の光照射装置３の接続端子４４ｂと他方の光照射装置３の接続端子４４ａをショートピン９１ｂで接続する。他方の光照射装置３の接続端子４３ａと接続端子４４ｂをショートピン９２で接続する。基板３２に設けてある接続線４２，４３，４４で複数の光照射装置３を接続し、複数の光照射装置３夫々の発光素子４，４・・・へ電力を供給することができ、光照射装置３を並設して用いることができる。
【００６７】
図１０は他の変形例に係る光照射装置３の構成を示す模式図である。この変形例では、基板３２の一端面３２ａに発光素子４，４・・・配置し、封止材５により発光素子４，４・・・を封止したものであり、補強板３１及び板部材３３は用いていない。ワイヤ４１，４１・・・、接続線４２，４３，４４等は上述の実施の形態と同様に基板３２に設けられている。この変形例によれば、光照射装置３が更に薄く製作でき、その構成に必要な部品点数が少なく、低コスト化が図れる。尚、補強板３１の光反射層３１ｄ及び板部材３３の光反射層３３ｄに代替えすべく、光反射層３１ｄ及び光反射層３３ｄと同様の配置で光反射シートを別途設けるようにしてもよい。
【００６８】
図１１は他の変形例に係る光照射装置３の構成を示す模式図である。この変形例では、光照射装置３は、基板３２の一端面３２ａに発光素子４，４・・・を配置し、封止材５により発光素子４，４・・・を封止し、補強板３１を基板３２に貼り付けて構成したものであり、板部材３２は用いていない。ワイヤ４１，４１・・・、接続線４２，４３，４４等は上述の実施の形態と同様に基板３２に設けられている。この変形例によれば、板部材３３が無い分、光照射装置３は薄くなり、構成に必要な部品点数が減るので、低コスト化が図れる。尚、板部材３３の光反射層３３ｄに代替えすべく、光反射層３３ｄと同様の配置で光反射シートを別途設けるようにしてもよい。
【００６９】
図１２は他の変形例に係る光照射装置３の構成を示す模式図である。この変形例では、光照射装置３は、上述の実施の形態と同等に構成されるが、基板３２の凸部３２ｃ，３２ｃの先端面、補強板３１の一端面３１ａ、及び板部材３３の一端面３３ａが面一としてある。封止材５は、凸部３２ｃ，３２ｃの中途部まで充填してある。この変形例では、補強板３１及び板部材３３が、基板３２の凸部３２ｃ，３２ｃから張り出していない。この変形例は、上述の実施の形態のように導光板６等の端部を補強板３１及び板部材３３で挟み込むように組み立てることができない場合に、有効である。
【００７０】
図１３は他の変形例に係る光照射装置３の構成を示す模式図である。この変形例では、光照射装置３は、上述の実施の形態と同等に構成されるが、板部材３３の一端面３３ａは、補強板３１の一端面３１ａよりも発光素子４，４・・・側にあり、基板３２の凸部３２ｃ，３２ｃと面一としてある。これにより、導光板６を補強板３１の張り出し部分に沿わせ易く、導光板６と光照射装置３との位置合わせを容易に行うことができる。
【００７１】
上述の実施形態及び変形例では、基板３２の一端面３２ａにおける両端部に凸部３２ｃ，３２ｃを設けているが、両端部に限定されるものではなく、一端面３２ａの長手方向中央部分等に凸部を設けるようにしてもよい。また、凸部３２ｃ，３２ｃを設けない構成であってもよい。凸部３２ｃ，３２ｃを設けない構成とした場合、導光板６等の封止材５への衝突を避ける機構を装置内に設けるとよい。
【００７２】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００７３】
１  表示装置
２０  液晶表示パネル（表示パネル）
３  光照射装置
３１  補強板
３１ｄ  光反射層
３２  基板
３３  板部材
３３ｄ  光反射層
３２ａ  一端面
４  発光素子
４１  ワイヤ（接続線）
４２，４３，４４  接続線
４２ｂ，４３ｂ  接続端子
６  導光板
【図１】
2014049418.tif 000003
【図２】
2014049418.tif 000004
【図３】
2014049418.tif 000005
【図４】
2014049418.tif 000006
【図５】
2014049418.tif 000007
【図６】
2014049418.tif 000008
【図７】
2014049418.tif 000009
【図８】
2014049418.tif 000010
【図９】
2014049418.tif 000011
【図１０】
2014049418.tif 000012
【図１１】
2014049418.tif 000013
【図１２】
2014049418.tif 000014
【図１３】
2014049418.tif 000015